(57)【特許請求の範囲】
【請求項１】
車両の各車輪に設けられ、前記車両に搭載された受信機に送信データを送信可能に構成された送信機であって、前記車両は複数の車輪それぞれの回転角度を検出値として検出する回転角度検出部を有しており、前記送信機は、
識別情報が記憶された送信記憶部と、
前記送信記憶部に記憶された識別情報と前記受信機に登録された各送信機の識別情報とを前記受信機が照合するために用いる照合データを含んだ前記送信データを送信するように構成された送信部と、
対応する車輪の回転角度が予め定められた複数の特定角度のいずれかとなったことを検出したときに前記送信部に前記送信データを送信させることで、対応する送信機が前記複数の車輪のうちいずれの車輪に装着されているかを前記受信機に特定させる特定角度送信を行うことが可能である制御部と、を備え、
前記制御部は、前記特定角度での送信の実行時に、前記車輪の回転角度を示す角度データとは異なるデータであり前記送信データに含まれるデータを前記特定角度に応じて変更することで、前記受信機に、同一の特定角度で送信された送信データ毎に、当該送信データの受信を契機として前記回転角度検出部によって検出される前記検出値を収集させるように構成され、
前記制御部は、
前記識別情報を前記照合データとして用いるか、
前記識別情報、及び、異なる値を取り得る可変データから演算され、かつ、前記識別情報よりもデータ長の短い演算データを前記照合データとして用いるかを、
前記特定角度に応じて変更するように構成された送信機。
【請求項２】
前記制御部は、
前記特定角度に応じて、前記送信データに含まれるデータのうち、
前記識別情報を変更する請求項１に記載の送信機。
【請求項３】
車両の各車輪に設けられ、前記車両に搭載された受信機に送信データを送信可能に構成された送信機であって、前記車両は複数の車輪それぞれの回転角度を検出値として検出する回転角度検出部を有しており、前記送信機は、
識別情報が記憶された送信記憶部と、
前記送信記憶部に記憶された識別情報と前記受信機に登録された各送信機の識別情報とを前記受信機が照合するために用いる照合データを含んだ前記送信データを送信するように構成された送信部と、
対応する車輪の回転角度が予め定められた複数の特定角度のいずれかとなったことを検出したときに前記送信部に前記送信データを送信させることで、対応する送信機が前記複数の車輪のうちいずれの車輪に装着されているかを前記受信機に特定させる特定角度送信を行うことが可能である制御部と、を備え、
前記制御部は、前記特定角度での送信の実行時に、前記車輪の回転角度を示す角度データとは異なるデータであり前記送信データに含まれるデータを前記特定角度に応じて変更することで、前記受信機に、同一の特定角度で送信された送信データ毎に、当該送信データの受信を契機として前記回転角度検出部によって検出される前記検出値を収集させるように構成され、
前記制御部は、前記特定角度に応じて、前記送信データに含まれるデータのうち、
前記識別情報を変更するように構成された送信機。
【請求項４】
複数の車輪それぞれの回転角度を検出値として検出する回転角度検出部を有する車両に搭載され、各車輪に装着された送信機のそれぞれが前記複数の車輪のうちいずれの車輪に装着されているかを特定可能に構成された受信機であって、
前記送信機にそれぞれ登録された識別情報が記憶された受信記憶部と、
対応する車輪の回転角度が予め定められた複数の特定角度のいずれかとなったことを検出したときに送信データを送信することが可能な前記送信機から送信される前記送信データを受信可能に構成された受信部と、
前記送信データの受信を契機として前記回転角度検出部によって検出される前記検出値を収集し、当該検出値のばらつきから前記送信機のそれぞれが前記複数の車輪のうちのいずれの車輪に装着されているかを特定する特定部と、を備え、
前記特定部は、前記車輪の回転角度を示す角度データとは異なるデータであり前記受信部が受信した前記送信データに含まれるデータの前記特定角度に応じた変更態様に基づいて、同一の特定角度で送信された送信データ毎に前記検出値を収集し、
前記受信部で受信した前記送信データに含まれる照合データと、前記受信記憶部に記憶された識別情報とに基づき、前記送信データを送信した前記送信機に登録された識別情報と前記受信記憶部に記憶された識別情報とを照合する照合処理を行う照合部をさらに備え、
前記照合データは、前記送信機に登録された識別情報、又は、前記送信機に登録された識別情報及び異なる値を取り得る可変データから演算され、かつ、前記送信機に登録された識別情報よりもデータ長の短い演算データであり、
前記照合部は、
前記照合データとして前記識別情報を受信した場合、当該識別情報と前記受信記憶部に記憶された識別情報とに基づいて前記照合処理を行い、
前記照合データとして前記演算データを受信した場合、前記送信データに含まれる前記可変データ及び前記受信記憶部に記憶された識別情報から演算されたデータと、前記演算データとに基づいて前記照合処理を行い、
前記特定部は、前記送信データのデータ長の前記特定角度に応じた変更態様に基づいて、同一の特定角度で送信された送信データ毎に前記検出値を収集する受信機。
【請求項５】
前記特定部は、受信した前記送信データに含まれる識別情報であって前記特定角度に応じて異なる識別情報と、前記受信記憶部に記憶された識別情報との照合に基づいて、同一の特定角度で送信された送信データ毎に前記検出値を収集する請求項４に記載の受信機。
【請求項６】
複数の車輪それぞれの回転角度を検出値として検出する回転角度検出部を有する車両に搭載され、各車輪に装着された送信機のそれぞれが前記複数の車輪のうちいずれの車輪に装着されているかを特定可能に構成された受信機であって、
前記送信機にそれぞれ登録された識別情報が記憶された受信記憶部と、
対応する車輪の回転角度が予め定められた複数の特定角度のいずれかとなったことを検出したときに送信データを送信することが可能な前記送信機から送信される前記送信データを受信可能に構成された受信部と、
前記送信データの受信を契機として前記回転角度検出部によって検出される前記検出値を収集し、当該検出値のばらつきから前記送信機のそれぞれが前記複数の車輪のうちのいずれの車輪に装着されているかを特定する特定部と、を備え、
前記特定部は、前記車輪の回転角度を示す角度データとは異なるデータであり前記受信部が受信した前記送信データに含まれるデータの前記特定角度に応じた変更態様に基づいて、同一の特定角度で送信された送信データ毎に前記検出値を収集し、
前記特定部は、受信した前記送信データに含まれる識別情報であって前記特定角度に応じて異なる識別情報と、前記受信記憶部に記憶された識別情報との照合に基づいて、同一の特定角度で送信された送信データ毎に前記検出値を収集する受信機。
【請求項７】
複数の車輪それぞれの回転角度を検出値として検出する回転角度検出部を有する車両の各車輪に設けられ、送信データを送信するように構成された送信機と、
前記送信データを受信し、各車輪に装着された送信機のそれぞれが前記複数の車輪のうちいずれの車輪に装着されているかを特定可能に構成された受信機と、を備えた送受信システムであって、
前記各送信機は、
識別情報が記憶された送信記憶部と、
前記送信記憶部に記憶された識別情報と前記受信機に登録された各送信機の識別情報とを前記受信機が照合するために用いる照合データを含んだ前記送信データを送信するように構成された送信部と、
対応する車輪の回転角度が予め定められた複数の特定角度のいずれかとなったことを検出したときに前記送信部に前記送信データを送信させる制御部と、を備え、
前記制御部は、前記特定角度での送信の実行時に、前記車輪の回転角度を示す角度データとは異なるデータであり前記送信データに含まれるデータを前記特定角度に応じて変更し、
前記制御部は、
前記識別情報を前記照合データとして用いるか、
前記識別情報、及び、異なる値を取り得る可変データから演算され、かつ、前記識別情報よりもデータ長の短い演算データを前記照合データとして用いるかを、
前記特定角度に応じて変更するように構成され、
前記受信機は、
前記送信機にそれぞれ登録された識別情報が記憶された受信記憶部と、
前記送信データを受信可能に構成された受信部と、
前記送信データの受信を契機として前記回転角度検出部によって検出される前記検出値を収集し、当該検出値のばらつきから前記送信機のそれぞれが前記複数の車輪のうちのいずれの車輪に装着されているかを特定する特定部と、を備え、
前記特定部は、前記送信データに含まれるデータの前記特定角度に応じた変更態様に基づいて、同一の特定角度で送信された送信データ毎に前記検出値を収集する送受信システム。
【請求項８】
複数の車輪それぞれの回転角度を検出値として検出する回転角度検出部を有する車両の各車輪に設けられ、送信データを送信するように構成された送信機と、
前記送信データを受信し、各車輪に装着された送信機のそれぞれが前記複数の車輪のうちいずれの車輪に装着されているかを特定可能に構成された受信機と、を備えた送受信システムであって、
前記各送信機は、
識別情報が記憶された送信記憶部と、
前記送信記憶部に記憶された識別情報と前記受信機に登録された各送信機の識別情報とを前記受信機が照合するために用いる照合データを含んだ前記送信データを送信するように構成された送信部と、
対応する車輪の回転角度が予め定められた複数の特定角度のいずれかとなったことを検出したときに前記送信部に前記送信データを送信させる制御部と、を備え、
前記制御部は、前記特定角度での送信の実行時に、前記車輪の回転角度を示す角度データとは異なるデータであり前記送信データに含まれるデータを前記特定角度に応じて変更し、
前記制御部は、前記特定角度に応じて、前記送信データに含まれるデータのうち、
前記識別情報を変更するように構成され、
前記受信機は、
前記送信機にそれぞれ登録された識別情報が記憶された受信記憶部と、
前記送信データを受信可能に構成された受信部と、
前記送信データの受信を契機として前記回転角度検出部によって検出される前記検出値を収集し、当該検出値のばらつきから前記送信機のそれぞれが前記複数の車輪のうちのいずれの車輪に装着されているかを特定する特定部と、を備え、
前記特定部は、前記送信データに含まれるデータの前記特定角度に応じた変更態様に基づいて、同一の特定角度で送信された送信データ毎に前記検出値を収集する送受信システム。
【発明の詳細な説明】
【技術分野】
【０００１】
本発明は、送信機、受信機、及び、送受信システムに関する。
【背景技術】
【０００２】
車両に設けられた複数のタイヤの状態を運転者が車室内で確認できるようにするための装置として、送受信システムが知られている。送受信システムは、車両の車輪のそれぞれ装着される送信機と、車両に搭載された受信機とを備える。各送信機は、タイヤの状態を示すデータを含む送信データを受信機に送信する。受信機は、送信データを受信することで、タイヤの状態を把握する。【０００３】
上記した送受信システムでは、送信データに含まれるタイヤの状態が、複数のタイヤのうちのいずれのタイヤに関するものであるかを、言い換えれば、受信した送信データが複数の車輪のうちのいずれの車輪に装着された送信機から送信されたものであるのかを、受信機において特定できることが好ましい。この種の送受信システムとしては、例えば、特許文献１に記載されている。【０００４】
特許文献１に記載の送受信システムは、複数の車輪の回転角度を検出する回転角度検出装置を備える車両に搭載されている。送信機は、予め定められた特定角度で送信データを送信する。受信機は、送信データを受信すると、回転角度検出装置の検出結果から各車輪の回転角度を把握する。受信機は、送信データを受信した時点での各車輪の回転角度のばらつきから、各送信機が、いずれの車輪に装着されたものであるかを特定する。
【先行技術文献】
【特許文献】
【０００５】
【特許文献１】特開２０１４−２２７１２４号公報
【発明の概要】
【発明が解決しようとする課題】
【０００６】
ところで、車両によっては、複数の送信機から送信された送信データが互いに干渉し合うヌルポイントが存在する場合がある。送信データが送信される特定角度と、ヌルポイントが一致してしまう場合、特定角度で送信された送信データを受信機が受信することができず、結果的に、各送信機がいずれの車輪に装着されているかの特定が行えなくなるおそれがある。【０００７】
本発明の目的は、ヌルポイントの影響によって、複数の車輪のそれぞれに装着された送信機がいずれの車輪に装着されているかの特定が行えなくなることを抑制できる送信機、受信機、及び、送受信システムを提供することにある。
【課題を解決するための手段】
【０００８】
上記課題を解決する送信機は、車両の各車輪に設けられ、前記車両に搭載された受信機に送信データを送信可能に構成される。前記車両は複数の車輪それぞれの回転角度を検出値として検出する回転角度検出部を有している。前記送信機は、識別情報が記憶された送信記憶部と、前記送信記憶部に記憶された識別情報と前記受信機に登録された各送信機の識別情報とを前記受信機が照合するために用いる照合データを含んだ前記送信データを送信するように構成された送信部と、対応する車輪の回転角度が予め定められた複数の特定角度のいずれかとなったことを検出したときに前記送信部に前記送信データを送信させることで、対応する送信機が前記複数の車輪のうちいずれの車輪に装着されているかを前記受信機に特定させる特定角度送信を行うことが可能である制御部と、を備える。前記制御部は、前記特定角度での送信の実行時に、前記車輪の回転角度を示す角度データとは異なるデータであり前記送信データに含まれるデータを前記特定角度に応じて変更することで、前記受信機に、同一の特定角度で送信された送信データ毎に、当該送信データの受信を契機として前記回転角度検出部によって検出される前記検出値を収集させるように構成されている。【０００９】
送信機は、特定角度での送信の実行時に、複数の特定角度で送信データを送信する。特定角度のうち、いずれかの特定角度がヌルポイントと一致している場合であっても、ヌルポイントと一致しない特定角度で送信された送信データを受信機は受信することができる。複数の特定角度で送信データが送信されている場合、受信機は、同一の特定角度で送信された送信データ毎に、当該送信データの受信を契機として検出値を収集する必要がある。【００１０】
送信機の制御部は、特定角度に応じて送信データに含まれるデータを変更している。このため、受信機は、送信データを受信したときに、同じ態様で変更されているデータを含んだ送信データは、同一の特定角度で送信されたと認識することができる。したがって、複数の特定角度で送信された送信データから、各送信機が複数の車輪のうちのいずれの車輪に装着されているかを特定可能である。したがって、ヌルポイントの影響によって、複数の車輪のそれぞれに装着された送信機がいずれの車輪に装着されているかの特定が行えなくなることを抑制できる。【００１１】
上記送信機について、前記制御部は、前記識別情報を前記照合データとして用いるか、前記識別情報、及び、異なる値を取り得る可変データから演算され、かつ、前記識別情報よりもデータ長の短い演算データを前記照合データとして用いるかを、前記特定角度に応じて変更してもよい。【００１２】
これによれば、照合データとして識別情報を用いるか、演算データを用いるかによって、送信データのデータ長を変化させることができる。受信機は、データ長に応じて、同一の特定角度で送信された送信データを認識することができる。【００１３】
上記送信機について、前記制御部は、前記特定角度に応じて、前記送信データに含まれる前記識別情報を変更してもよい。
これによれば、受信機は、識別情報に応じて、同一の特定角度で送信された送信データを認識することができる。【００１４】
上記送信機について、前記制御部は、前記特定角度に応じて、誤り検出符号、又は、誤り訂正符号の演算態様を変更してもよい。
これによれば、受信機は、受信した送信データに含まれる誤り検出符号、又は、誤り訂正符号から、同一の特定角度で送信された送信データを認識することができる。【００１５】
上記課題を解決する受信機は、複数の車輪それぞれの回転角度を検出値として検出する回転角度検出部を有する車両に搭載され、各車輪に装着された送信機のそれぞれが前記複数の車輪のうちいずれの車輪に装着されているかを特定可能に構成される。受信機は、前記送信機にそれぞれ登録された識別情報が記憶された受信記憶部と、対応する車輪の回転角度が予め定められた複数の特定角度のいずれかとなったことを検出したときに送信データを送信することが可能な前記送信機から送信される前記送信データを受信可能に構成された受信部と、前記送信データの受信を契機として前記回転角度検出部によって検出される前記検出値を収集し、当該検出値のばらつきから前記送信機のそれぞれが前記複数の車輪のうちのいずれの車輪に装着されているかを特定する特定部と、を備える。前記特定部は、前記車輪の回転角度を示す角度データとは異なるデータであり前記受信部が受信した前記送信データに含まれるデータの前記特定角度に応じた変更態様に基づいて、同一の特定角度で送信された送信データ毎に前記検出値を収集する。【００１６】
特定部は、受信した送信データの特定角度に応じた変更態様に基づいて、同一の特定角度で送信された送信データ毎に、当該送信データの受信を契機として検出値を収集することができる。したがって、送信データが複数の特定角度で送信されていても、同一の特定角度で送信された送信データ毎に検出値を収集することで、送信機がいずれの車輪に装着されているかを特定することができる。したがって、ヌルポイントの影響によって、複数の車輪のそれぞれに装着された送信機がいずれの車輪に装着されているかの特定が行えなくなることを抑制できる
上記受信機は、前記受信部で受信した前記送信データに含まれる照合データと、前記受信記憶部に記憶された識別情報とに基づき、前記送信データを送信した前記送信機に登録された識別情報と前記受信記憶部に記憶された識別情報とを照合する照合処理を行う照合部を備えてもよい。前記照合データは、前記送信機に登録された識別情報、又は、前記送信機に登録された識別情報及び異なる値を取り得る可変データから演算され、かつ、前記送信機に登録された識別情報よりもデータ長の短い演算データであってもよい。前記照合部は、前記照合データとして前記識別情報を受信した場合、当該識別情報と前記受信記憶部に記憶された識別情報とに基づいて前記照合処理を行い、前記照合データとして前記演算データを受信した場合、前記送信データに含まれる前記可変データ及び前記受信記憶部に記憶された識別情報から演算されたデータと、前記演算データとに基づいて前記照合処理を行ってもよい。前記特定部は、前記送信データのデータ長の前記特定角度に応じた変更態様に基づいて、同一の特定角度で送信された送信データ毎に前記検出値を収集してもよい。【００１７】
これによれば、特定部は、照合データのデータ長の差に起因する送信データのデータ長の差から、送信データが同一の特定角度で送信されたかを認識することができる。
上記受信機について、前記特定部は、受信した前記送信データに含まれる識別情報であって前記特定角度に応じて異なる識別情報と、前記受信記憶部に記憶された識別情報との照合に基づいて、同一の特定角度で送信された送信データ毎に前記検出値を収集してもよい。【００１８】
これによれば、特定部は、識別情報に応じて、送信データが同一の特定角度で送信されたかを認識することができる。
前記特定部は、前記受信部で受信した前記送信データから複数の演算態様で誤り検出符号、又は、誤り訂正符号を演算し、演算によって得られた符号を、前記送信データに含まれて前記特定角度に応じて異なる演算態様で演算された誤り検出符号、又は、誤り訂正符号と比較することに基づいて、同一の特定角度で送信された送信データ毎に前記検出値を収集してもよい。【００１９】
これによれば、特定部は、誤り検出符号、又は、誤り訂正符号に応じて、送信データが同一の特定角度で送信されたかを認識することができる。
上記課題を解決する送受信システムは、複数の車輪それぞれの回転角度を検出値として検出する回転角度検出部を有する車両の各車輪に設けられ、送信データを送信するように構成された送信機と、前記送信データを受信し、各車輪に装着された送信機のそれぞれが前記複数の車輪のうちいずれの車輪に装着されているかを特定可能に構成された受信機と、を備える。前記各送信機は、識別情報が記憶された送信記憶部と、前記送信記憶部に記憶された識別情報と前記受信機に登録された各送信機の識別情報とを前記受信機が照合するために用いる照合データを含んだ前記送信データを送信するように構成された送信部と、対応する車輪の回転角度が予め定められた複数の特定角度のいずれかとなったことを検出したときに前記送信部に前記送信データを送信させる制御部と、を備える。前記制御部は、前記特定角度での送信の実行時に、前記車輪の回転角度を示す角度データとは異なるデータであり前記送信データに含まれるデータを前記特定角度に応じて変更する。前記受信機は、前記送信機にそれぞれ登録された識別情報が記憶された受信記憶部と、前記送信データを受信可能に構成された受信部と、前記送信データの受信を契機として前記回転角度検出部によって検出される前記検出値を収集し、当該検出値のばらつきから前記送信機のそれぞれが前記複数の車輪のうちのいずれの車輪に装着されているかを特定する特定部と、を備える。前記特定部は、前記送信データに含まれるデータの前記特定角度に応じた変更態様に基づいて、同一の特定角度で送信された送信データ毎に前記検出値を収集する。
【発明の効果】
【００２０】
本発明によれば、ヌルポイントの影響によって、複数の車輪のそれぞれに装着された送信機がいずれの車輪に装着されているかの特定が行えなくなることを抑制できる。
【図面の簡単な説明】
【００２１】
【図１】（ａ）はタイヤ状態監視システムを搭載した車両の概略図、（ｂ）は車両の各車輪と加速度センサの検出軸との関係を示す概略図。
【図２】回転センサユニットの概略図。
【図３】車輪の回転により生じるパルスの概略図。
【図４】送信機の概略構成図。
【図５】（ａ）は第１角度を示す図、（ｂ）は第２角度を示す図。
【図６】第１実施形態における送信モードと、送信データの態様との対応を示す図。
【図７】（ａ）は第１データのフレームフォーマットを示す概略図、（ｂ）は第２データのフレームフォーマットを示す概略図。
【図８】（ａ）は第１データの一例を示す図、（ｂ）は第２データの一例を示す図。
【図９】受信記憶部に記憶されるＩＤコードの一例を示す図。
【図１０】第２データに含まれる可変データ、及び、受信記憶部に記憶されたＩＤコードから演算された誤り検出符号の一例を示す図。
【図１１】第１データの受信を契機として収集されたパルスカウント値を示す概略図。
【図１２】第２データの受信を契機として収集されたパルスカウント値を示す概略図。
【図１３】第３実施形態における送信モードと、送信データの態様との対応を示す図。
【図１４】第３実施形態における送信モードと、送信データの態様との対応を示す図。
【図１５】送信モードと、送信データの態様との変形例を示す図。
【発明を実施するための形態】
【００２２】
（第１実施形態）
以下、送信機、受信機、及び、送受信システムの第１実施形態について説明する。
図１（ａ）に示すように、送受信システムとしてのタイヤ状態監視システム３０は、車両１０に搭載されている。まず、タイヤ状態監視システム３０が搭載される車両１０について説明する。
【００２３】
車両１０は、４つの車輪１１を備える。各車輪１１は、ホイール１２と、このホイール１２に装着されたタイヤ１３とを備える。なお、適宜、各車輪１１のうち右前車輪１１をＦＲ、左前車輪１１をＦＬ、右後車輪１１をＲＲ、左後車輪１１をＲＬとして説明する。
【００２４】
車両１０は、ＡＢＳ（アンチロック・ブレーキシステム）２０を備える。ＡＢＳ２０は、ＡＢＳコントローラ２５と、車両１０の４つの車輪１１にそれぞれ対応する回転センサユニット２１〜２４とを備える。第１回転センサユニット２１は、左前車輪ＦＬに対応し、第２回転センサユニット２２は、右前車輪ＦＲに対応している。第３回転センサユニット２３は、左後車輪ＲＬに対応し、第４回転センサユニット２４は、右後車輪ＲＲに対応している。ＡＢＳコントローラ２５はマイクロコンピュータ等よりなり、回転センサユニット２１〜２４からの信号に基づき各車輪１１の回転角度を求める。
【００２５】
図２に示すように、回転角度検出部としての各回転センサユニット２１〜２４は、車輪１１と一体回転する歯車２６と、歯車２６の外周面に対向するように配置された検出器２７とを備える。歯車２６の外周面には複数本（本実施形態では４８本）の歯が等角度間隔おきに設けられている。そして、検出器２７は、歯車２６が回転することで生じるパルスを検出する。ＡＢＳコントローラ２５は、検出器２７に有線接続され、各検出器２７の検出値としてのパルスのカウント値（以下、パルスカウント値と記載）に基づき、各車輪１１の回転角度を求める。具体的にいえば、歯車２６が回転することで、歯の数に対応した数のパルスが検出器２７に発生する。ＡＢＳコントローラ２５は、検出器２７に発生したパルスをカウントする。図３に示すように、本実施形態においては、パルスの立ち上がりと立ち下がりをカウントすることで、ＡＢＳコントローラ２５は０〜９５までカウントを行う。
【００２６】
次に、タイヤ状態監視システム３０について説明する。
図１（ａ）に示すように、タイヤ状態監視システム３０は、車両１０の４つの車輪１１にそれぞれ装着される送信機３１と、車両１０に設置される受信機５０とを備える。送信機３１は、タイヤ１３の内部空間に配置されるように、車輪１１に取り付けられている。送信機３１としては、タイヤバルブに固定されたものや、ホイール１２やタイヤ１３に固定されたものが用いられる。送信機３１は、対応するタイヤ１３の状態（例えば、タイヤ空気圧やタイヤ内温度）を検出して、検出したタイヤ１３の情報を含む送信データを受信機５０に無線送信する。タイヤ状態監視システム３０は、送信機３１から送信される送信データを受信機５０で受信することで、タイヤ１３の状態を監視するシステムである。
【００２７】
図４に示すように、各送信機３１は、圧力センサ３２、温度センサ３３、加速度センサ３４、送信制御部３５、送信回路３６、バッテリ３７、及び送信アンテナ３９を備える。送信機３１は、バッテリ３７からの供給電力によって動作し、送信制御部３５は送信機３１の動作を統括的に制御する。なお、バッテリ３７は、一次電池であってもよいし、二次電池や、キャパシタなどの蓄電装置であってもよい。
【００２８】
圧力センサ３２は、対応するタイヤ１３の空気圧を検出する。圧力センサ３２は、検出結果を送信制御部３５に出力する。温度センサ３３は、対応するタイヤ１３内の温度を検出する。温度センサ３３は、検出結果を送信制御部３５に出力する。
【００２９】
図１（ｂ）に示すように、加速度センサ３４は検出軸３４ａを備え、検出軸３４ａに沿う方向への加速度を検出する。加速度センサ３４は、検出結果を送信制御部３５に出力する。加速度センサ３４は、一軸の加速度センサ３４であってもよいし、多軸の加速度センサ３４であってもよい。
【００３０】
加速度センサ３４は、送信機３１が車輪１１の最下位置（あるいは最上位置）に位置しているときに、検出軸３４ａが鉛直方向（下方向）を向くように設けられている。
なお、加速度センサ３４が検出軸３４ａ以外にも別の検出軸を有する多軸の加速度センサ３４の場合には、それぞれの検出軸に作用する加速度が個別に検出される。以下の説明において、加速度センサ３４によって検出される加速度とは、検出軸３４ａによって検出される加速度を示す。
【００３１】
図４に示すように、送信制御部３５は、ＣＰＵ３５ａ及び送信記憶部３５ｂ（ＲＡＭやＲＯＭ等）を含むマイクロコンピュータ等よりなる。送信記憶部３５ｂには各送信機３１に付与された固有の識別情報を示すデータであるＩＤコードが記憶されている。これにより、送信機３１にはＩＤコードが登録されている。なお、説明の便宜上、左前車輪ＦＬに装着された送信機３１のＩＤコードをＦＬＩＤ、右前車輪ＦＲに装着された送信機３１のＩＤコードをＦＲＩＤ、左後車輪ＲＬに装着された送信機３１のＩＤコードをＲＬＩＤ、右後車輪ＲＲに装着された送信機３１のＩＤコードをＲＲＩＤと表記する。
【００３２】
また、送信記憶部３５ｂには、送信機３１を制御する種々のプログラムが記憶されている。プログラムには、送信機３１から送信される送信データの態様を切り替えるプログラムなどが含まれる。送信制御部３５は、計時機能を備える。計時機能は、例えば、タイマや、カウンタによって実現される。
【００３３】
送信制御部３５は、所定の取得間隔毎に、圧力センサ３２、温度センサ３３、加速度センサ３４によって検出された検出結果を取得する。
送信制御部３５は、検出結果に基づいて、タイヤ状態（例えば、タイヤ空気圧やタイヤ内温度）などを含む送信データを生成する。送信データは、デジタルデータであり、２進数や、１６進数のデータ列である。送信制御部３５は、生成した送信データを送信回路３６に出力する。送信回路３６は、送信制御部３５から出力された送信データを変調する。そして、変調された送信データは、無線信号として送信アンテナ３９から送信される。無線信号とは、送信データを含んだ信号といえる。無線信号は、ＲＦ帯（例えば、３１５ＭＨｚ帯や、４３４ＭＨｚ帯）の信号として送信される。本実施形態において、送信回路３６は送信部となり、送信制御部３５は送信回路３６から送信データを送信させる制御部となる。
【００３４】
送信制御部３５は、加速度センサ３４によって検出された加速度から車両１０が走行しているか停車しているかを判定している。加速度センサ３４に作用する遠心加速度は、車速が速くなるにつれて大きくなっていく。送信制御部３５は、加速度センサ３４によって検出された加速度が走行判定用閾値以上であれば車両１０が走行していると判定し、加速度センサ３４によって検出された加速度が走行判定用閾値未満であれば車両１０が停車していると判定する。走行判定用閾値は、公差などを考慮して、車両１０が停車しているときに加速度センサ３４によって検出される加速度よりも大きい値が設定される。
【００３５】
本実施形態の送信機３１は、送信データを送信する送信モードとして、車輪１１の回転角度に関わらず送信データを送信する通常送信と、車輪１１の回転角度が予め定められた特定角度となったときに送信データを送信する特定角度送信とを備える。
【００３６】
通常送信では、所定の間隔毎に送信データが送信される。所定の間隔は、例えば、十秒〜数十秒などである。
特定角度送信は、例えば、車両１０が予め定められた時間以上、継続して停車した後に、車両１０が走行を開始した場合に行われる。予め定められた時間は、例えば、数十分〜数時間など、タイヤ交換が可能である時間に設定される。即ち、特定角度送信は、タイヤローテーションなどに伴い、車輪１１の位置が変更された可能性がある場合に行われる。
【００３７】
特定角度送信時には、車輪１１の回転角度が、予め定められた特定角度となったことを検出したときに送信データが送信される。詳細に説明すれば、１回前の送信データの送信から所定の時間（例えば、十秒〜数十秒）が経過しており、かつ、特定角度が検出された場合に送信データは送信される。また、特定角度の検出に失敗、即ち、１回前の送信データの送信から所定の時間が経過しているにも関わらず、特定角度が検出できない場合にも送信データは送信される。この場合、送信データは不特定角度で送信されることになる。
【００３８】
図５（ａ）及び図５（ｂ）に示すように、特定角度は、複数定められている。本実施形態では、送信機３１が車輪１１の最上部に位置している場合の角度である第１角度と、送信機３１が車輪１１の最後部に位置している場合の角度である第２角度が特定角度として定められている。第１角度を基準（０度）とした場合、第２角度は２７０度となる。なお、送信データは、第１角度と第２角度で交互に送信されてもよいし、ランダムで送られるようにしてもよい。
【００３９】
送信機３１が特定角度になったことは、加速度センサ３４によって検出される加速度によって検出可能である。前述したように、検出軸３４ａの延びる方向は、車輪１１の回転角度に関わらず遠心力の作用する方向と同一方向となっており、加速度センサ３４は車輪１１の回転角度に関わらず遠心加速度を検出する。一方、重力加速度は常に鉛直方向に作用するため、検出軸３４ａが鉛直方向を向いていない場合、加速度センサ３４は重力加速度の分力（重力加速度成分）を検出する。加速度センサ３４によって、検出される加速度は、遠心加速度に重力加速度を加えた加速度となる。
【００４０】
ここで、車両１０が急加速や、急停止しない限り、車輪１１が１回転する間に変化する遠心加速度は極僅かである。したがって、車輪１１が１回転する間に変化する加速度は、重力加速度とみなすことができる。そして、この重力加速度の変化から、車輪１１の回転角度が特定角度となったことを検出することができる。重力加速度のみを考慮した場合、重力加速度は、車輪１１が１回転する間に、＋１［Ｇ］〜−１［Ｇ］の間で変化する。本実施形態の場合は、送信機３１が車輪１１の最下位置となったときが＋１［Ｇ］であり、送信機３１が車輪１１の最上位置となったときに−１［Ｇ］となる。
【００４１】
なお、「特定角度」とは、許容範囲（角度範囲）を含む車輪１１の回転角度である。送信制御部３５が加速度を取得する頻度や、加速度センサ３４の検出誤差など、種々の要因により、特定角度と、実際に送信データが送信されるときの車輪１１の回転角度には誤差が生じる場合がある。「特定角度」とは、特定角度に完全に一致する角度のみを示すものではなく、誤差を加味した許容範囲を含むものといえる。
【００４２】
次に、送信データのプロトコル（フレームフォーマット）について説明する。
図６に示すように、本実施形態では、送信機３１の送信モードや、送信データを送信する際の車輪１１の回転角度に応じて、フレームフォーマットが異なる２つの送信データが送信される。本実施形態では、通常送信を行う場合、及び、特定角度送信時に第１角度で送信を行う場合は同一のフレームフォーマットで送信データが送信される。以下、この送信データを第１データとして説明を行う。第１データは、ＩＤコードを含む送信データである。
【００４３】
特定角度送信時に第２角度で送信を行う場合、及び、特定角度送信時に特定角度を検出できなかった場合は同一のフレームフォーマットで送信データが送信される。以下、この送信データを第２データとして説明を行う。第２データはＩＤコードを含まない送信データである。
【００４４】
図７（ａ）及び図８（ａ）に示すように、第１データには、プリアンブル、識別コード、ＩＤコード、固定ビット、圧力データ、温度データ、ステータスコード、誤り検出のための符号である誤り検出符号、及び、ストップビットが含まれる。第１データは計１００ビットのデータである。なお、本実施形態の第１データには、送信データを送信する際の車輪１１の回転角度を示す角度データは含まれていない。
【００４５】
ＩＤコードは、３２ビットのデータである。ＩＤコードは、送信記憶部３５ｂに記憶されており、ＩＤコードの変更を行わない限り、常に同一である。したがって、ＩＤコードは、一定の値となる固定データとなる。
【００４６】
固定ビットは、４ビットのデータである。固定ビットは、例えば、誤り検出符号の演算のためのデータである。本実施形態の固定ビットは予め定められた値（＝固定値）である。なお、本実施形態においては、４つの送信機３１で、ＩＤコードは異なる一方で、固定ビットは同一である。
【００４７】
圧力データは、１２ビットのデータである。圧力データは、圧力センサ３２によって検出された圧力、すなわち、タイヤ１３の空気圧を示すデータである。圧力センサ３２によって検出される圧力は変動する。したがって、圧力データは異なる値を取り得る可変データとなる。
【００４８】
温度データは、８ビットのデータである。温度データは、温度センサ３３によって検出された温度、すなわち、タイヤ１３内の温度を示すデータである。温度センサ３３によって検出される温度は変動する。したがって、温度データは異なる値を取り得る可変データとなる。なお、タイヤ状態監視システム３０においては、圧力データ、及び、温度データがペイロードデータ、すなわち、受信機５０に取得させたいデータとなる。
【００４９】
ステータスコードは、１６ビットのデータである。ステータスコードは、送信機３１の状態を示すデータである。ステータスコードは、異なる値を取り得る可変データとなる。ステータスコードには、送信データが特定角度で送信されたものであるかを示すビット（以下、特定ビットと称する）が含まれている。送信制御部３５は特定角度で送信データを送信する場合、特定ビットを「１」とする。送信制御部３５は特定角度とは異なる回転角度で送信データを送信する場合、特定ビットを「０」とする。通常送信においては、特定ビットは、常に０となる。
【００５０】
誤り検出符号は、８ビットのデータである。なお、本実施形態では、誤り検出を行うための符号として誤り検出符号を用いているが、誤り検出符号に代えて、誤り訂正符号を用いてもよい。すなわち、誤り検出を行うための符号とは、誤り検出のみを行う誤り検出符号、及び、誤り検出に加え、誤り訂正を行う誤り訂正符号を示す。
【００５１】
誤り検出符号としては、パリティビット、チェックサム、ミラーデータ、ＣＲＣ符号などいかなる誤り検出符号が用いられてもよい。誤り訂正符号としては、ＢＣＨ符号、ＲＳ符号、ハミング符号、ターボ符号、畳み込み符号など、いかなる誤り訂正符号が用いられてもよい。
【００５２】
本実施形態では、誤り検出符号として、チェックサムが用いられている。チェックサムは、ＩＤコード、固定ビット、圧力データ、温度データ、及び、ステータスコードから演算される。本実施形態では、チェックサムを８ビットとしているため、チェックサムの演算に用いられるデータも８ビットに合わせられる。
【００５３】
図８（ａ）に示すように、３２ビットのＩＤコードは４つに分割され、分割されたデータは、それぞれ８ビットとなる。図８（ａ）では、分割されたＩＤコードのそれぞれをＩＤ１、ＩＤ２、ＩＤ３、ＩＤ４で表わしている。なお、図８（ａ）は、第１データの一例として、右前車輪ＦＲに装着された送信機３１、即ち、ＦＲＩＤの送信機３１から送信される第１データの一例を示している。
【００５４】
１２ビットの圧力データは、２つに分割され、分割されたデータは４ビットと８ビットとなる。図８（ａ）では、分割されたデータのうち、４ビットのデータを圧力１、８ビットのデータを圧力２で表わしている。そして、４ビットのデータである圧力１と、４ビットの固定ビットとを合わせて８ビットのデータとしている。具体的にいえば、固定ビットを上位４ビット、圧力１を下位４ビットとする８ビットのデータを生成している。
【００５５】
１６ビットのステータスコードは、２つに分割され、分割されたデータは、それぞれ８ビットとなる。図８（ａ）では、分割されたステータスコードのそれぞれを、ステータス１、ステータス２で表わしている。
【００５６】
そして、送信制御部３５は、送信データを生成する際には、８ビットに合わせられた複数のデータの総和からチェックサムを演算する。チェックサムは、上記したデータの排他的論理和をとった値であるともいえる。
【００５７】
なお、プリアンブルは１６ビットのデータである。識別コードは２ビットのデータである。ストップビットは２ビットのデータである。プリアンブル、識別コード、及び、ストップビットは、例えば、プロトコルによって定められたデータである。これらのデータは誤り検出符号の演算には用いられない。図８（ａ）及び図８（ｂ）では、誤り検出符号の演算に用いられないデータのデータ列については、省略している。
【００５８】
次に、第２データについて説明する。
図７（ｂ）及び図８（ｂ）に示すように、第２データとは、第１データからＩＤコード、及び、固定ビットを省略した送信データである。第２データは、ＩＤコード及び固定ビットの分だけ第１データよりもデータ長が短く、６４ビットのデータとなる。
【００５９】
なお、特定角度送信時に第１角度及び第２角度でそれぞれ送信データを送信する場合、特定ビットは「１」となる。特定角度の検出に失敗し、不特定角度で送信データが送信される場合、特定ビットは「０」となる。
【００６０】
図８（ｂ）に示すように、第２データでは、ＩＤコード及び固定ビットが省略されているが、誤り検出符号は、第１データと同様の態様で演算した誤り検出符号が用いられる。具体的にいえば、誤り検出符号としては、ＩＤコード、固定ビット、圧力データ、温度データ、及び、ステータスコードから演算されたものが用いられる。すなわち、第２データとは、ＩＤコード、及び、固定ビットを含めて誤り検出符号を演算しているが、ＩＤコード、及び、固定ビットを含まない送信データであるといえる。なお、図８（ｂ）は、第２データの一例として、右前車輪ＦＲに装着された送信機３１、即ち、ＦＲＩＤの送信機３１から送信される第２データの一例を示している。
【００６１】
第１データと第２データとでは、角度データとは異なるデータ（車輪の回転角度を示していないデータ）が変更されている。具体的には、第１データと第２データとでは、ＩＤコード及び固定ビットを含むか含まないかの点で異なっている。これにより、第１データと第２データでは、データ長が異なっている。
【００６２】
次に、受信機５０について説明する。
図１（ａ）に示すように、受信機５０は、受信制御部５１と、受信回路５２と、受信アンテナ５６とを備える。受信制御部５１には、車両１０に搭載された表示器５７が接続されている。受信制御部５１は受信ＣＰＵ５４及び受信記憶部５５（ＲＯＭやＲＡＭ等）を含むマイクロコンピュータ等よりなる。受信制御部５１は、計時機能を備える。計時機能は、例えば、タイマや、カウンタによって実現される。受信回路５２は、各送信機３１から受信アンテナ５６を介して受信された無線信号を復調して、送信データを受信制御部５１に出力する。受信回路５２が受信部として機能している。
【００６３】
受信制御部５１は、受信回路５２からの送信データに基づき、タイヤ１３の状態（例えば、タイヤ空気圧やタイヤ内温度）を把握する。受信制御部５１は、タイヤ１３に異常が生じている場合には、表示器５７にて報知を行う。また、表示器５７には、各タイヤ１３の圧力が、車輪１１の位置に対応付けられて表示される。
【００６４】
受信記憶部５５には、受信機５０が搭載された車両１０の各車輪１１に装着された４つの送信機３１のＩＤコード及び固定ビットが記憶されている。これにより、受信機５０にはＩＤコードが登録されている。送信記憶部３５ｂと、受信記憶部５５には、同一のＩＤコードが記憶されており、これにより、受信機５０と送信機３１とは対応付けられている。受信制御部５１は、受信機５０が搭載された車両１０の各車輪１１に装着された４つの送信機３１から送信された送信データのみを自身に送られた送信データとして認識する。受信制御部５１は、受信回路５２が受信した送信データと、受信記憶部５５に記憶されたＩＤコードとに基づき、送信データを送信した送信機３１に登録された識別情報（ＩＤコード）と、受信機５０に登録された識別情報（ＩＤコード）とを照合する照合処理を行う。受信制御部５１は、送信データが、受信機５０に対応付けられた送信機３１から送信されたものであると判断すると、当該送信データに含まれるタイヤ１３の状態を示すデータ（圧力データ、及び、温度データ）を受信機５０が搭載された車両１０のものとして採用する。なお、以下の説明において、説明の便宜上、受信機５０に対応付けられた送信機３１、すなわち、受信記憶部５５に記憶されたＩＤコードと同一のＩＤコードが登録されている送信機３１、から送信された送信データを「正規なデータ」と称する。また、「正規なデータ」とは異なるデータ、すなわち、受信機５０に対応付けられていない送信機３１から送信された送信データを「非正規なデータ」と称する。
【００６５】
前述したように、送信機３１は、送信データとして、第１データ及び第２データを送信する。送信データとして、第１データを受信した場合と、第２データを受信した場合とで、ＩＤコードの照合のために受信制御部５１が行う処理は異なる。
【００６６】
受信回路５２が第１データを受信した場合、受信制御部５１は、第１データに含まれるＩＤコードを取得し、この取得したＩＤコードと受信記憶部５５に記憶されたＩＤコードとの照合を行う。したがって、第１データにおいては、ＩＤコードが照合データである。第１データに含まれるＩＤコードが、受信記憶部５５に記憶された複数のＩＤコードのいずれかと一致する場合、受信制御部５１は、第１データを正規なデータと判定する。一方で、第１データに含まれるＩＤコードが、受信記憶部５５に記憶された複数のＩＤコードのいずれとも一致しない場合、受信制御部５１は、第１データを非正規な送信データと判定する。
【００６７】
受信回路５２が第２データを受信した場合、受信制御部５１は、第２データに含まれる誤り検出符号に基づき、ＩＤコードの照合を行う。したがって、第２データにおいては、誤り検出符号が照合データである。受信回路５２が第２データを受信すると、受信制御部５１は、第２データ、受信記憶部５５に記憶されたＩＤコード、及び、固定ビットから誤り検出符号を演算する。誤り検出符号の演算は、送信機３１の場合と同様の態様で演算される。すなわち、送信記憶部３５ｂ及び受信記憶部５５には、同一の態様で誤り検出符号を演算するようにプログラムが記憶されている。
【００６８】
受信制御部５１は、第２データに含まれる圧力データ、温度データ、及び、ステータスコードに、受信記憶部５５に記憶されたＩＤコード及び固定ビットを加えて、８ビットの誤り検出符号を演算する。本実施形態では、受信記憶部５５に４つの車輪１１に対応して、４つのＩＤコードが記憶されているため、４つの誤り検出符号が演算されることになる。即ち、ＦＬＩＤ、ＦＲＩＤ、ＲＬＩＤ、ＲＲＩＤのそれぞれを用いた誤り検出符号が演算されることになる。
【００６９】
ここで、送信機３１のＩＤコード（及び固定ビット）と、受信機５０に登録されたＩＤコード（及び固定ビット）とが一致している場合、第２データに含まれる誤り検出符号と、受信制御部５１で演算された誤り検出符号とは一致する。詳細に説明すると、誤り検出符号の演算に際しては、送信機３１と受信機５０とで同一の態様で演算が行われる。誤り検出符号の演算に用いられるデータのうち、圧力データ、温度データ、及び、ステータスコードは、誤りが生じていない限り同一である。また、送信データを送信した送信機３１と、受信機５０とでＩＤコードが一致している場合にはＩＤコード（及び固定ビット）も一致し、同一のデータを用いて、同一の演算が行われることになる。すると、送信機３１と受信機５０とで、演算によって得られた演算データである誤り検出符号は一致する。したがって、第２データに含まれる演算データである誤り検出符号と、受信制御部５１によって演算された誤り検出符号との一致を確認することで、送信機３１のＩＤコードと、受信機５０のＩＤコードとの照合を行うことができる。
【００７０】
例えば、ＦＲＩＤ、ＦＬＩＤ、ＲＲＩＤ、及び、ＲＬＩＤとして、図９に示すＩＤコード（ビット列）が受信記憶部５５に記憶されているとする。
図１０に示すように、ＦＲＩＤ、ＦＬＩＤ、ＲＲＩＤ、及び、ＲＬＩＤを用いて、誤り検出符号（チェックサム）を演算すると、ＦＲＩＤを用いて演算した誤り検出符号と、第２データに含まれる誤り検出符号とが一致する。
【００７１】
第２データに含まれる誤り検出符号と、受信制御部５１によって演算された誤り検出符号のいずれかが一致する場合、受信制御部５１は、第２データを正規なデータと判定する。一方で、第２データに含まれる誤り検出符号と、受信制御部５１によって演算された誤り検出符号のいずれもが一致しない場合、受信制御部５１は、第２データを非正規なデータと判定する。
【００７２】
本実施形態では、受信制御部５１が、送信データから照合データ、及び、可変データを取得する取得部として機能している。また、受信制御部５１が、照合データ、及び、受信記憶部５５に記憶されたＩＤコードから照合を行う照合部として機能している。取得部（取得手段）、及び、照合部（照合手段）は、受信制御部５１の機能として実現されているといえる。
【００７３】
なお、本実施形態の受信制御部５１は、ＩＤコードに加えて、固定ビットも含めて誤り検出符号の演算を行っている。これは、送信制御部３５も、固定ビットも含めて誤り検出符号を演算しているからである。すなわち、誤り検出符号の演算には用いられる一方で、第２データには含まれないデータは、ＩＤコードのみに限られない。例えば、本実施形態のように、誤り検出符号の演算には用いられる一方で、第２データには含まれないデータは、ＩＤコード及び固定ビットであってもよいし、ＩＤコードのみでもよい。誤り検出符号の演算には用いられる一方で、第２データには含まれないデータは、少なくともＩＤコードを含む固定値（固定データ）であって、受信記憶部５５に記憶され、誤り検出符号の演算に用いることができるデータであればよい。本実施形態では、ＩＤコード及び固定ビットを固定データとみなすこともできる。
【００７４】
なお、第１データと第２データとの区別は、第１データと第２データのデータ長の差異から行われる。
上記したように、受信機５０は、第１データを受信した場合であっても、第２データを受信した場合であっても、ＩＤコードの照合を行うことができる。ここで、受信制御部５１は、正規なデータが、いずれの車輪１１（タイヤ）に関するものなのかを特定したい場合がある。例えば、４つの車輪１１のうち、１つの車輪１１に圧力異常が生じた際に、いずれの車輪１１に圧力異常が生じたかを表示器５７に表示したい場合や、本実施形態のように、車輪１１の位置毎に対応した圧力を表示器５７に表示したい場合には、正規なデータがいずれの車輪１１（タイヤ）に関するものなのかを特定する必要がある。言い換えれば、各送信機３１のＩＤコードと、車輪１１の位置との対応付けをする必要がある。
【００７５】
以下、各送信機３１が複数の車輪１１のうちいずれの車輪１１に装着されているかを特定する車輪位置特定処理について説明する。車輪位置特定処理は、例えば、車両１０の起動状態と停止状態とを切り替えるスタートスイッチにより、車両１０が起動状態とされた際に行われる。車両１０の起動状態とは、アクセルペダルの操作により車両１０が走行可能な状態であり、車両１０の停止状態とはアクセルペダルを操作しても車両１０が走行しない状態である。以下の説明では、説明の便宜上、正規なデータのみが受信されるものとする。
【００７６】
受信記憶部５５には、送信機３１から送信される送信データの取り得る２種類のフレームフォーマットと特定ビットとの組み合わせが記憶されている。フレームフォーマットと特定ビットとの組み合わせを把握することで、送信機３１に含まれるデータの変更態様から、送信機３１の送信モード、及び、送信データが送信された特定角度とを特定することができる。
【００７７】
送信データを取得すると、受信制御部５１は、受信した送信データが特定角度で送信されたデータか否かを判定する。前述したように、特定角度で送信された送信データの特定ビットは「１」となっている。したがって、特定ビットが「１」か「０」かにより、送信データが特定角度で送信されたか否かを判定することができる。
【００７８】
また、受信制御部５１は、特定角度で送信された送信データが、第１角度で送信されたか、第２角度で送信されたかを判定する。第１角度では、第１データが送信され、第２角度では第２データが送信される。したがって、特定ビットが「１」である第１データは第１角度で送信されており、特定ビットが「１」である第２データは第２角度で送信されたと判定することができる。
【００７９】
受信制御部５１は、特定角度で送信された送信データを受信すると、当該受信を契機として、各回転センサユニット２１〜２４のパルスカウント値（車輪１１の回転角度）をＡＢＳコントローラ２５から取得する。受信制御部５１は、第１角度で送信された第１データを受信した場合と、第２角度で送信された第２データを受信した場合とで、個別にパルスカウント値を収集していく。
【００８０】
ここで、各車輪１１の回転速度は、デファレンシャルギアなどの影響によって異なる。このため、複数の車輪１１にそれぞれ装着された送信機３１の相対位置（車輪１１同士の回転角度の差）は車両１０の走行に伴い変化していく。また、送信機３１が特定角度で送信データを送信している場合、送信データを送信した時点では、当該送信データを送信した送信機３１が装着された車輪１１に対応する回転センサユニット２１〜２４によって検出される回転角度（に対応するパルスカウント値）も特定角度と一致する。即ち、各送信機３１が特定角度で送信データを送信している場合に、送信データの受信を契機としてパルスカウント値を取得していくと、パルスカウント値のばらつきが少ない回転センサユニットが存在する。
【００８１】
図１１に示すように、ＦＬＩＤの送信機３１に着目し、この送信機３１が第１角度で複数回送信データを送信したとする。この送信データの受信を契機として、受信制御部５１が各回転センサユニット２１〜２４のパルスカウント値（車輪１１の回転角度）をＡＢＳコントローラ２５から取得すると、左前車輪ＦＬに対応する第１回転センサユニット２１によって検出されるパルスカウント値のばらつきが最も少なくなる。したがって、ＦＬＩＤの送信機３１は、左前車輪ＦＬに装着されていると特定することができる。本実施形態では、受信制御部５１が、各送信機３１がいずれの車輪１１に装着されているかを特定する特定部として機能している。特定部（特定手段）は、受信制御部５１の機能として実現されているといえる。
【００８２】
図１２に示すように、ＦＬＩＤの送信機３１が第２角度で複数回送信データを送信した場合であっても、同様のことがいえる。受信制御部５１は、第１角度で送信された第１データ、及び、第２角度で送信された第２データのいずれかを受信することができれば、送信機３１がいずれの車輪１１に装着されているかを特定可能であるといえる。本実施形態の受信機５０は、車輪位置特定処理を行う車輪位置特定装置である。
【００８３】
受信制御部５１は、４つの送信機３１について、いずれの車輪１１に装着されているかを特定する。受信制御部５１は、４つのＩＤコードと、車輪１１の位置とを対応づけて、受信記憶部５５に記憶し、車輪位置特定処理を終了する。
【００８４】
なお、説明の便宜上、受信制御部５１は、特定角度で送信された送信データが、第１角度で送信されたか、第２角度で送信されたかを判定すると記載しているが、受信制御部５１は、送信データの態様が異なることを認識できればよく、送信データがいずれの特定角度で送信されたかを認識しなくてもよい。本実施形態においては、受信制御部５１は、受信した送信データが、第１データであるか第２データであるかを認識することで、同一の送信機３１から送信された複数の送信データを受信した際に、同一の特定角度で送信された送信データ毎に送信データを区分できればよい。例えば、受信制御部５１は、特定ビットが「１」である第１データを複数回受信した際に、これらの第１データが同一の特定角度で送信されたことを認識できればよく、第１角度で送信されたか、第２角度で送信されたかの判定は必ずしも行う必要がない。
【００８５】
次に、本実施形態の送信機３１、受信機５０、及び、タイヤ状態監視システム３０の作用について説明する。
送信機３１は、第１角度と、第２角度で送信データを送信している。受信制御部５１は、第１角度で送信された送信データを受信した場合と、第２角度で送信された送信データを受信した場合とで、個別にパルスカウント値を収集していくことで、送信機３１が設けられている車輪１１の位置を特定できる。
【００８６】
ところで、各送信機３１がいずれの車輪１１に装着されているかを特定するために、同一のフレームフォーマットの送信データを第１角度と第２角度とで交互に送信することも考えられる。
【００８７】
受信機５０は、第１角度と第２角度とで交互に送信データが送信されることを認識できていれば、第１角度及び第２角度という互いに異なる角度でそれぞれ送信された送信データ毎に分けて、パルスカウント値を収集することができる。また、通信環境の影響などで、送信データを受信できず、第１角度（あるいは第２角度）で送信された送信データを連続して受信する場合がある。この場合であっても、送信データが送信される間隔は把握できているため、送信データを受信した間隔が、送信データが送信される間隔の２倍程度であれば、同一の特定角度で送信された送信データを２回連続で受信したと認識することができる。
【００８８】
しかしながら、複数回連続して、送信データを受信できなかった場合、各送信機３１がいずれの車輪１１に装着されているかの特定が困難になる。これは、受信制御部５１の計時機能の精度などに起因して、複数回連続して送信データを受信できなかった後に受信した送信データが、第１角度で送信されたものか第２角度で送信されたかを判断できなくなるためである。
【００８９】
これに対し、送信データに、特定角度を示す角度データを含んで送信することも考えられる。しかしながら、この場合には、角度データの分だけデータ長が長くなることが考えられる。また、データ長が長くなることを抑制するために角度データを短く（例えば、１ビット）にすると、角度データと誤り検出符号とに同時に誤りが生じた際に、角度データが誤っているにも関わらず、誤りを検出できないおそれがある。すると、第１角度で送信された送信データを受信したにも関わらず、受信制御部５１は、第２角度で送信された送信データを受信したと誤認するおそれがある。すると、パルスカウント値のばらつきが大きくなり、各送信機３１がいずれの車輪１１に装着されているかの特定が遅くなったり、特定ができなくなったりするおそれがある。
【００９０】
これに対し、本実施形態では、データ長に基づき、第１角度で送信データが送信されたか、第２角度で送信データが送信されたかを把握しているため、角度データを含んでいなくても、送信データが送信された車輪１１の回転角度を特定することができる。
【００９１】
また、データ長に基づき特定角度を判定しているため、仮に、送信データに誤りが生じていたとしても、送信データが送信された特定角度を誤認識することも抑制されている。
したがって、上記実施形態によれば、以下の効果を得ることができる。
【００９２】
（１）送信制御部３５は、複数の特定角度で送信データを送信している。したがって、複数の特定角度のうちの１つがヌルポイントと一致していたとしても、受信機５０に特定角度で送信された送信データを受信させることができる。したがって、ヌルポイントの影響によって、送信機３１がいずれの車輪１１に装着されているかを特定できなくなることが抑制されている。
【００９３】
複数の特定角度に応じて角度データとは異なるデータ（車輪の回転角度を示していないデータ）を変更することで、受信した送信データが、第１角度で送信されたか、第２角度で送信されたかを判定することができる。したがって、送信データに含まれるデータを、特定角度を示すデータとして兼用することができる。
【００９４】
（２）角度データ以外のデータであるＩＤコードの有無によって第１角度と第２角度とを示すことができる。ＩＤコードを含まない第２データは、ＩＤコードの分だけデータ長が短くなっている。したがって、送信データを送信するのに要する消費電力が低減され、バッテリ３７の長寿命化を図ることができる。
【００９５】
（３）異なる特定角度で送信される送信データについて、角度データではないデータを変更することで、受信機５０に第１角度で送信された送信データか、第２角度で送信された送信データかを認識させている。したがって、送信データに角度データを含めて送信を行う必要がなく、角度データを含めて送信データを送信する場合に比べて、データ長を短くすることができる。したがって、送信データを送信するのに要する消費電力が低減され、バッテリ３７の長寿命化を図ることができる。
【００９６】
（４）データ長によって、同一の特定角度で送信された送信データであることを認識できるため、送信データに誤りが生じていたとしても、送信データが送信された特定角度を誤認識することが抑制されている。したがって、通信環境が良好ではなく、送信データに誤りが生じやすい場合でも、特定角度の誤認識が抑制される。
【００９７】
（５）受信制御部５１は、送信データに含まれるデータの変更態様から、送信データが送信された特定角度を認識することができる。したがって、受信制御部５１は、同一の特定角度で送信された送信データ毎に、当該送信データの受信を契機としてパルスカウント値を収集することができる。そして、収集したパルスカウント値のばらつきから、送信機３１がいずれの車輪１１に装着されているかの特定を行うことができる。
【００９８】
（６）受信制御部５１は、第１データを受信した場合であっても、第２データを受信した場合であっても、ＩＤコードの照合を行うことができる。このため、ＩＤコードの有無に基づき、同一の特定角度で送信された送信データ毎に、個別に当該送信データの受信を契機としたパルスカウント値を収集することができる。
【００９９】
（７）第２データは、第１データに比べてデータ長が短い。したがって、第２データは、第１データに比べると、受信回路５２に受信されるまでに、データ（符号）に誤りが生じにくい。
【０１００】
（８）送信機３１と、受信機５０とを備えるタイヤ状態監視システム３０は、送信データとして、第１データが用いられる場合であっても、第２データが用いられる場合であっても送受信を行うことができる。そして、送信データに含まれるデータの変更態様から、送信機３１がいずれの車輪１１に装着されているかを特定可能である。したがって、タイヤ状態監視システム３０は、上記した効果（１）〜（７）に記載の効果を得ることができる。
【０１０１】
（第２実施形態）
以下、送信機、受信機、及び、送受信システムの第２実施形態について説明する。なお、以下の説明において、第１実施形態の送信機、受信機、及び、送受信システムと同様な構成については、同一の符号を付すことで、その説明を省略する。
【０１０２】
第２実施形態においては、各送信機３１の送信記憶部３５ｂには、２つのＩＤコードが記憶されている。２つのＩＤコードのうちの一方を第１ＩＤコードとし、他方を第２ＩＤコードとする。送信制御部３５は、第１角度で送信データを送信する場合、送信データに第１ＩＤコードを含める。送信制御部３５は、第２角度で送信データを送信する場合、送信データに第２ＩＤコードを含める。即ち、特定角度に応じて、送信データ中のＩＤコードが変更されることになる。なお、第２実施形態においては、送信データとしては、第１データが用いられる。
【０１０３】
受信記憶部５５には、各送信機３１に登録された２つのＩＤコード、即ち、第１ＩＤコード、及び、第２ＩＤコードが記憶されている。第１ＩＤコードを含む送信データを受信した場合、受信制御部５１は、当該送信データは第１角度で送信されたと認識することができる。受信制御部５１は、第２ＩＤコードを含む送信データを受信した場合、当該送信データは第２角度で送信されたと認識することができる。即ち、受信制御部５１は、同一のＩＤコードを含む送信データを複数回受信した場合には、その複数回受信した送信データが同一の特定角度から送信された送信データであることを認識することができる。受信制御部５１は、送信データを受信した際に、送信記憶部３５ｂに登録された数のＩＤコードに応じて照合を行う。詳細にいえば、受信制御部５１は、第１ＩＤコードを受信した場合であっても、第２ＩＤコードを受信した場合であっても、受信記憶部５５に記憶された第１ＩＤコードとの照合、及び、受信記憶部５５に記憶された第２ＩＤコードとの照合の２種類の態様で照合を行うことになる。
【０１０４】
したがって、上記実施形態によれば、以下の効果を得ることができる。
（９）特定角度に応じて異なるＩＤコードを含んだ送信データを送信することで、受信制御部５１は、同一の特定角度で送信された送信データ毎に、当該送信データの受信を契機としてパルスカウント値を収集することができる。これにより、受信制御部５１は、送信機３１がいずれの車輪１１に装着されているかを特定することが可能である。
【０１０５】
（第３実施形態）
以下、送信機、受信機、及び、送受信システムの第３実施形態について説明する。なお、以下の説明において、第１実施形態の送信機、受信機、及び、送受信システムと同様な構成については、同一の符号を付すことで、その説明を省略する。
【０１０６】
第３実施形態においては、送信データが送信される特定角度に応じて、誤り検出符号、又は、誤り訂正符号の演算態様が異なる。まず、誤り検出符号としてチェックサムが用いられる場合について説明する。
【０１０７】
図１３に示すように、通常送信を行う際には、送信制御部３５は、第１実施形態と同一の演算態様でチェックサムを演算する。即ち、チェッムサムは、８ビットに合わせられたデータの総和である。例えば、図８（ａ）に示すチェックサムのように「０００１０１１１」を送信データに含めて送信を行う。
【０１０８】
特定角度送信時に、第１角度で送信データの送信を行う場合、送信制御部３５は、通常送信時と同一の演算態様に加えて、当該演算態様で演算されたデータの上位４ビットを反転させる演算を行う。例えば、誤り検出符号以外のデータが同一である送信データを送信する際に、通常送信時に演算されるチェックサムが「０００１０１１１」とすれば、第１角度で送信される送信データに含まれるチェックサムは「１１１００１１１」となる。
【０１０９】
特定角度送信時に、第２角度で送信データの送信を行う場合、送信制御部３５は、通常送信時と同一の演算態様に加えて、当該演算態様で演算されたデータの下位４ビットを反転させる演算を行う。例えば、誤り検出符号以外のデータが同一である送信データを送信する際に、通常送信時に演算されるチェックサムが「０００１０１１１」とすれば、第２角度で送信される送信データに含まれるチェックサムは「０００１１０００」となる。
【０１１０】
特定角度送信時に、不特定角度（特定角度の検出失敗）で送信データの送信を行う場合、送信制御部３５は、通常送信時と同一の演算態様に加えて、当該演算態様で演算されたデータの全８ビットを反転させる演算を行う。例えば、誤り検出符号以外のデータが同一である送信データを送信する際に、通常送信時に演算されるチェックサムが「０００１０１１１」とすれば、第２角度で送信される送信データに含まれるチェックサムは「１１１０１０００」となる。
【０１１１】
受信記憶部５５には、送信制御部３５が行うチェックサムの演算態様が記憶されている。受信制御部５１は、送信制御部３５と同様に、チェックサムの演算を行うことができる。受信制御部５１は、送信データを受信すると、送信データに含まれるデータからチェックサムの演算を行う。本実施形態では、送信制御部３５は、４種類の演算態様でチェックサムを演算しているため、受信制御部５１は、４種類のチェックサムを演算することになる。そして、チェックサムが一致するかを確認することで、受信制御部５１は、送信機３１のモードや、特定角度を認識することができる。例えば、図８（ａ）に示す送信データを受信制御部５１が取得すると、受信制御部５１は、４種類のチェックサムである「０００１０１１１」、「１１１００１１１」、「０００１１０００」、「１１１０１０００」を演算することになる。受信制御部５１は、演算したチェックサムが「０００１０１１１」であり、送信データに含まれるチェックサムも「０００１０１１１」であれば、送信データは通常送信で送信されたと判定することができる。受信制御部５１は、演算したチェックサムが「１１１００１１１」であり、送信データに含まれるチェックサムも「１１１００１１１」であれば、送信データは第１角度で送信されたと判定することができる。同様に、第２角度や、不特定角度で送信された送信データについても判定することができる。
【０１１２】
また誤り検出符号として、ＣＲＣ符号を用いる場合、異なるＣＲＣ生成多項式を用いてＣＲＣ符号の演算を行う。ＣＲＣ生成多項式の一例を図１４に示す。ＣＲＣ生成多項式が異なる場合、演算されるＣＲＣ符号も異なるものとなる。
【０１１３】
受信制御部５１は、送信データを受信すると、送信データに含まれるデータからＣＲＣ符号の演算を行う。ＣＲＣ符号の演算は、送信制御部３５が行う演算態様と同一の演算態様、即ち、図１４に示す生成多項式を用いて行われる。これにより、チェックサムの場合と同様に、送信データに含まれるＣＲＣ符号と、受信制御部５１が演算したＣＲＣ符号とが一致するかを確認することで、受信制御部５１は、送信機３１のモードや、特定角度を認識することができる。
【０１１４】
これによれば、以下の効果を得ることができる。
（１０）特定角度に応じて異なる演算態様で演算された誤り検出符号を用いることで、受信制御部５１は、同一の特定角度で送信された送信データ毎に、当該送信データの受信を契機としてパルスカウント値を収集することができる。これにより、受信制御部５１は、送信機３１がいずれの車輪１１に装着されているかを特定することが可能である。
【０１１５】
なお、実施形態は、以下のように変更してもよい。
・第１実施形態において、ＩＤコードの有無に代えて、ペイロードデータの有無によってデータ長を変更してもよい。送信制御部３５は、第１角度で送信データを送信する場合には、圧力データ及び温度データを含めて送信を行う。送信制御部３５は、第２角度で送信データを送信する場合には、圧力データ及び温度データのうち少なくとも一方を省略して、送信を行う。これにより、第１角度で送信される送信データと、第２角度で送信される送信データのデータ長を異ならせることができる。第１角度で送信データが送信される場合には、ペイロードデータは送信されるため、長時間に亘って、受信制御部５１がタイヤ１３の状態を把握できない事態は起こらない。
【０１１６】
また、第１実施形態のように、温度データのデータ長と、圧力データのデータ長とが異なっている場合、第１角度で温度データを省略した送信データを送信し、第２角度で圧力データを省略した送信データを送信してもよい。
【０１１７】
・第１実施形態において、演算データとして、誤り検出符号以外を用いてもよい。例えば、ＩＤコードを分割したデータであるＩＤ１〜ＩＤ４のうち少なくとも１つと、可変データのうち少なくとも１つとの排他的論理和をとった排他的論理和データを演算データとしてもよい。すなわち、固定データ及び可変データから演算される演算データとは、固定データの一部、及び、可変データの一部から演算されたデータであってもよいし、固定データの全部、及び、可変データの全部から演算されたデータであってもよい。
【０１１８】
ＩＤ１〜ＩＤ４は、受信記憶部５５に記憶されているため、受信制御部５１は、受信記憶部５５に記憶されたＩＤ１〜ＩＤ４のうちの少なくとも１つと、第２データに含まれる可変データのうちの少なくとも１つから排他的論理和データを演算することができる。なお、この場合、受信機５０と、受信機５０に対応付けられる送信機３１とで、同一のデータから排他的論理和が演算されるようにする。具体的にいえば、送信記憶部３５ｂと、受信記憶部５５に、同一のデータを用いて排他的論理和データが演算されるようなプログラムが記憶される。なお、この場合、誤り検出符号は、排他的論理和データを含んだデータから演算される。
【０１１９】
上記した排他的論理和データを演算データとして用いる場合、第２データには誤り検出符号が含まれていてもよいし、含まれていなくてもよい。
第２データに排他的論理和データ、及び、誤り検出符号の両方が含まれる場合、排他的論理和データ及び誤り検出符号の両方を演算データ（照合データ）としてもよい。具体的にいえば、送信制御部３５は、排他的論理和データ及び誤り検出符号を含み、ＩＤコードを含まない第２データを生成する。受信制御部５１は、第２データを取得すると、第２データに含まれる可変データ及び受信記憶部５５に記憶されたＩＤコードから排他的論理和データ及び誤り検出符号を演算する。受信制御部５１は、第２データに含まれる排他的論理和データと演算した排他的論理和データ、及び、第２データに含まれる誤り検出符号と演算した誤り検出符号の両方が一致する場合、第２データを正規なデータと判定する。
【０１２０】
なお、排他的論理和データに代えて、ＩＤコードを分割したデータであるＩＤ１〜ＩＤ４のうち少なくとも１つと、可変データのうち少なくとも１つとから任意の方法で演算されたデータを演算データとしてもよい。どのような演算方法であっても、送信制御部３５と受信制御部５１とで同一の方法で演算が行われれば、ＩＤコードの照合を行うことができる。したがって、互いに対応付けられる送信機３１と受信機５０とで、同一の演算が行われればよく、演算態様は任意である。
【０１２１】
・第１実施形態において、送信データには、シャッフルパターンが含まれていてもよい。シャッフルパターンとは、定められた規則によってＩＤコードをシャッフルするものである。例えば、シャッフルパターンによって定められた規則によって、ＩＤ１〜ＩＤ４のうちの特定のビットが反転する。したがって、送信制御部３５は、シャッフルパターンに応じて、誤り検出符号の演算態様を変更することになる。この場合、受信制御部５１は、送信データに含まれるシャッフルパターンに応じて、誤り検出符号を演算することで、誤り検出符号の一致を確認する。
【０１２２】
・第１実施形態において、送信制御部３５は、第１角度で送信される第１データの全ビットを反転した（０と１を入れ替えた）送信データを第２角度で送信するようにしてもよい。この場合、第１角度で送信される送信データと、第２角度で送信される送信データとで、固定ビットが異なる。固定ビットは、固定データであるため、反転しない限りは同一のものである。したがって、固定ビットを確認することで、送信データが反転しているかを確認することができる。受信制御部５１は、固定ビットから送信データが反転しているか否かを判断することができる。受信制御部５１は、送信データが反転していなければ第１角度で、送信データが反転していれば第２角度で送信された送信データであることを認識することができる。
【０１２３】
・第１実施形態において、通常送信時に第２データが送信されるようにしてもよい。この場合、通常送信時に送信される送信データのデータ長が短くなるため、送信データを送信する際のバッテリ３７の消費電力が低減される。この場合、特定角度の検出失敗時に送信される送信データは、第１データとしてもよいし、第２データのままでもよい。特定角度の検出失敗時に送信される送信データが第２データのままとなると、通常送信時に送信される送信データと、特定角度の検出失敗時に送信される送信データとでは、フレームフォーマット及び特定ビットが共に一致する。
【０１２４】
車輪位置特定処理に際しては、送信データが特定角度で送信されているか否かを判断できればよい。通常送信時と、特定角度の検出失敗時とには、ともに不特定角度で送信データが送信されるため、送信データの態様は同一であってもよい。即ち、送信データの変更態様（パターン）は、少なくとも、特定角度の数＋１個あればよいといえる。
【０１２５】
・第１実施形態において、誤り検出符号のビット数（データ長）は、ＩＤコードのビット数（データ長）よりも少なければ、適宜変更してもよい。例えば、誤り検出符号は、１６ビットであってもよい。
【０１２６】
・第１実施形態において、第１データと第２データで、プリアンブルやストップビットを異なる値にしてもよい。この場合、受信制御部５１は、プリアンブルやストップビットから送信データが第１データであるか、第２データであるかを区別してもよい。
【０１２７】
・第２実施形態において、送信記憶部３５ｂには、単一のＩＤコードが記憶されていてもよい。この場合、図１５に示すように、送信モードや、特定角度に応じて、ＩＤコードの一部を反転させる。送信制御部３５は、通常送信を行う場合には、ＩＤコードを変更せずに送信データを送信する。特定角度送信時に第１角度で送信データを送信する場合、送信制御部３５は、ＩＤ１を反転して送信データを送信する。例えば、図８（ａ）に示すＩＤコードの場合、ＩＤ１を「１１１１１１１０」から「０００００００１」とし、ＩＤ２，ＩＤ３，ＩＤ４は変更せずに送信データを送信する。同様に、特定角度送信時に第２角度で送信データを送信する場合、送信制御部３５は、ＩＤ２を反転し、特定角度送信時に特定角度の検出に失敗した場合にはＩＤ３を反転する。
【０１２８】
受信制御部５１は、ＩＤコードが取りえる４つのパターンから、送信モード、及び、特定角度を認識する。そして、受信制御部５１は、同一の特定角度で送信された送信データ毎に、当該送信データの受信を契機としてパルスカウント値を収集することで、送信機３１がいずれの車輪１１に装着されているかを特定することが可能である。
【０１２９】
なお、この場合、ＩＤコードの一部を反転することで、ＩＤコード同士が同一とならないように各送信機３１のＩＤコードは設定される。即ち、ＩＤコードの一部を反転したとしても、ＩＤコードが被らないように各送信機３１のＩＤコードは設定される。
【０１３０】
・第２実施形態において、送信記憶部３５ｂには、単一のＩＤコードが記憶されていてもよい。この場合、第１ＩＤコードは、送信記憶部３５ｂに記憶されたＩＤコード（全ビット）とし、第２ＩＤコードは、第１ＩＤコードの一部としてもよい。例えば、第２ＩＤコードは、第１ＩＤコードの下位１６ビットとしてもよいし、上位１６ビットとしてもよい。なお、通常送信時には、第１ＩＤコードを含む送信データが送信されることになる。
【０１３１】
受信制御部５１は、第２ＩＤコードを受信した場合、第２ＩＤコードと、受信記憶部５５に記憶されたＩＤコードとの照合を行う。例えば、第２ＩＤコードとして、第１ＩＤコードの上位１６ビットが用いられる場合、受信制御部５１は、受信記憶部５５に記憶されたＩＤコードの上位１６ビットと、第２ＩＤコードとを照合し、これらが一致する場合には送信データを正規なデータと判断する。したがって、受信制御部５１は、複数の態様で照合を行い。この照合結果に基づいて、特定角度のうち、同一の特定角度で送信された送信データ毎に、当該送信データの受信を契機としてパルスカウント値を収集することになる。
【０１３２】
なお、この場合、第２ＩＤコード同士が同一とならないように各送信機３１の第１ＩＤコードは設定される。例えば、第１ＩＤコードの上位１６ビットを第２ＩＤコードとする場合、各送信機３１の第１ＩＤコードの上位１６ビットが被らないように第１ＩＤコードは設定される。
【０１３３】
・第２実施形態において、送信データを第２データとしてもよい。この場合、第１角度で送信される第２データは、第１ＩＤコードを用いて演算された誤り検出符号を含み、第２角度で送信される第２データは、第２ＩＤコードを用いて演算された誤り検出符号を含むことになる。即ち、第１実施形態の送信データの変更態様と、第２実施形態の送信データの変更態様とを併用してもよい。
【０１３４】
また、第１実施形態において、ＩＤ１を反転（０と１とを入れ替え）した第２データを送信するなど、誤り検出符号の演算態様を第１データとは変更してもよい。即ち、第１実施形態の送信データの変更態様と、第３実施形態の送信データの変更態様とを併用してもよい。また、第１実施形態の送信データの変更態様と、第２実施形態の送信データの変更態様と、第３実施形態の送信データの変更態様を併用することも可能である。具体的にいえば、第１データとは異なるＩＤコードを用いて、かつ、第１データとは異なる演算態様で演算された第２データと、第１データとを特定角度に応じて送信するようにしてもよい。
【０１３５】
・第３実施形態において、送信制御部３５は特定角度に応じて異なる誤り検出符号（又は誤り訂正符号）を用いてもよい。例えば、送信制御部３５は、第１角度で送信データを送信する場合には、誤り検出符号をチェックサムとし、第２角度で送信データを送信する場合には、誤り検出符号をＣＲＣ符号としてもよい。誤り検出符号が異なると、誤り検出符号の演算態様も異なる。したがって、特定角度に応じて演算態様は異なることになる。
【０１３６】
・各実施形態において、特定角度は３つ以上設定されていてもよい。この場合、３つの特定角度で送信される送信データのそれぞれは、角度データ以外のデータを特定角度に応じて変更される。例えば、第１実施形態の送信データと、第２実施形態の送信データとを組み合わせてもよい。第１角度で送信を行う場合、第１ＩＤコードを含む第１データを送信し、第２角度で送信を行う場合、第１ＩＤコードを用いて演算された誤り検出符号を含んだ第２データを送信する。複数の特定角度のうち、第１角度及び第２角度とは異なる第３角度で送信を行う場合、第２ＩＤコードを含む第２データを送信し、第１角度、第２角度、及び、第３角度とは異なる第４角度で送信を行う場合、第２ＩＤコードを用いて演算された誤り検出符号を含んだ第２データを送信する。
【０１３７】
この場合も、受信制御部５１は、送信制御部３５が送信する送信データの変更態様から、送信データが送信された特定角度を認識する。受信記憶部５５には、送信データの取り得る態様が記憶されている。
【０１３８】
・各実施形態において、受信記憶部５５には、車輪１１に装着された送信機３１のＩＤコード、及び、スペアタイヤに装着された送信機３１のＩＤコードが記憶されていてもよい。また、夏タイヤに装着された送信機３１のＩＤコード、及び、冬タイヤに装着された送信機３１のＩＤコードの両方が受信記憶部５５に記憶されていてもよい。この場合、受信制御部５１は、受信頻度の高い上位４輪までのＩＤコードについて、タイヤ１３の異常を報知してもよい。
【０１３９】
・各実施形態において、車両１０は、複数の車輪１１を備えたものであればよく、例えば、二輪車であってもよい。
・各実施形態において、送信データには角度データが含まれていてもよい。この場合、受信制御部５１は、角度データと、角度データ以外のデータの変更態様との両方から、送信データが送信された特定角度を認識することができる。したがって、両者の一致性から特定角度を認識することで、特定角度の誤認識を抑制できる。
【０１４０】
・各実施形態において、送信データに含まれるデータは、適宜変更してもよい。例えば、加速度センサ３４によって検出された加速度データが含まれていてもよい。
・各実施形態において、送信制御部３５は、特定角度に応じて送信データの周波数を変更してもよい。また、送信制御部３５は、特定角度に応じて送信データのビットレートを変更してもよいし、変調方式を変更してもよい。
【符号の説明】
【０１４１】
１０…車両、１１…車輪、２１〜２４…回転センサユニット（回転角度検出部）、３０…タイヤ状態監視システム（送受信システム）、３１…送信機、３５…送信制御部（制御部）、３５ｂ…送信記憶部、３６…送信回路（送信部）、５０…受信機、５１…受信用制御部（照合部、及び、特定部）、５２…受信回路（受信部）、５５…受信記憶部。
【図１】
0006617219.tif 000002
【図２】
0006617219.tif 000003
【図３】
0006617219.tif 000004
【図４】
0006617219.tif 000005
【図５】
0006617219.tif 000006
【図６】
0006617219.tif 000007
【図７】
0006617219.tif 000008
【図８】
0006617219.tif 000009
【図９】
0006617219.tif 000010
【図１０】
0006617219.tif 000011
【図１１】
0006617219.tif 000012
【図１２】
0006617219.tif 000013
【図１３】
0006617219.tif 000014
【図１４】
0006617219.tif 000015
【図１５】
0006617219.tif 000016